【手続補正書】
【提出日】平成25年6月21日(2013.6.21)
【手続補正１】
【補正対象書類名】明細書
【補正対象項目名】０００７
【補正方法】変更
【補正の内容】
【０００７】
前記目的を達成するため、請求項１の発明では、地中に埋設される側溝本体の上側開口部を覆うための蓋装置であって、路面に露出する天板部と、当該天板部に立設されて天板部に集水領域を区画し、当該集水領域に流れ込んだ雨水をせき止める雨水堰と、前記天板部を貫通する貫通孔をなし、集水領域の全域にわたって複数穿設された長尺の流水口と、前記天板部の集水領域に立設された複数の第１の凸部とを備えたことを特徴とする蓋装置を提供する。
【手続補正２】
【補正対象書類名】明細書
【補正対象項目名】０００８
【補正方法】変更
【補正の内容】
【０００８】
請求項２の発明では、請求項１の発明において、前記雨水堰は、前記天板部の外周縁に設けられ、内側面が下方に傾斜して前記天板部に連なる外縁枠と、前記天板部に立設され、前記外縁枠と協働して天板部に複数の集水領域を区画する畦状部とからなり、前記外縁枠の内側面および前記畦状部の上面には、複数の第２の凸部とを備えたことを特徴としている。
請求項３の発明では、請求項２の発明において、前記第１および第２の凸部上面の高さが前記外縁枠上面と同一高さに形成されていることを特徴としている。
請求項４の発明では、請求項２または３の発明において、前記天板部に対して畦状部の裏側には、畦状部に沿って補強リブが設けられていることを特徴としている。
請求項５の発明では、請求項２〜４のいずれかの発明において、前記畦状部は、前記天板部に設けられ、前記天板部の外側縁に外側端部を有する複数の第１の畦状部と、前記天板部の中央域に設けられ、隣接する前記第１の畦状部を接続する第２の畦状部とを備えていることを特徴とする。
【手続補正３】
【補正対象書類名】明細書
【補正対象項目名】０００９
【補正方法】変更
【補正の内容】
【０００９】
請求項６の発明では、請求項５の発明において、前記天板部は平面視で略長方形形状であり、前記第２の畦状部は前記天板部の長手軸線に沿って配設され、前記第１の畦状部は前記第２の畦状部から前記外縁枠に向かって垂直に延び、前記第１及び第２の畦状部、さらに前記外縁枠で囲まれた集水領域が形成され、前記流水口は前記天板部の長手方向と平行をなし、前記集水領域に一様に配設され、前記第１の凸部は前記流水口に沿って複数の列を形成し、隣接する前記列における前記第１の凸部は前記天板部の長手方向においてずれて配置されていることを特徴としている。
【手続補正４】
【補正対象書類名】明細書
【補正対象項目名】００１０
【補正方法】変更
【補正の内容】
【００１０】
請求項７の発明では、請求項５の発明において、前記天板部は平面視で略正方形形状であり、前記第２の畦状部は前記天板部の中心を中心点として略円形形状または一部が欠けている略円形形状であり、前記第１の畦状部は前記第２の畦状部から前記外縁枠に向かって放射状に延び、少なくとも前記第１の畦状部間に配設された前記流水口及び前記第１の凸部は前記第２の畦状部と同心円に沿って断続的に配設され、径方向に隣接する前記同心円間における前記第１の凸部は前記天板部の中心から放射方向においてずれて配置されていることを特徴とする。
【手続補正５】
【補正対象書類名】明細書
【補正対象項目名】００１１
【補正方法】変更
【補正の内容】
【００１１】
請求項８の発明では、請求項１〜７のいずれかの発明において、前記天板部は、天板部に配されたメンテナンス用蓋体と、当該蓋体を分離可能に支持する基板部とを備えることを特徴としている。
【手続補正６】
【補正対象書類名】明細書
【補正対象項目名】００１２
【補正方法】変更
【補正の内容】
【００１２】
請求項１の発明によれば、雨水堰で天板部に集水領域を形成し、好ましい態様の請求項２の発明によれば、雨水堰を外縁枠と畦状部とで構成し、これらの外縁枠と畦状部とが協働して天板部に複数の集水領域を形成し、集水領域内に流れ込んだ雨水をせき止める。したがって、流水口に効率よく雨水を流入させることができる。また、第１及び第２の凸部を設けることにより、蓋装置上を人や車両が通過する際のスリップ防止を図ることができる。さらに、第１及び第２の凸部に雨水が衝突することで、雨水の流れを弱めることができ、流水口に流入させ易くすることができる。
【手続補正７】
【補正対象書類名】明細書
【補正対象項目名】００１３
【補正方法】変更
【補正の内容】
【００１３】
請求項３の発明によれば、外縁枠上面と第１及び第２の凸部の上面は同一高さに形成され、天板部上面は外縁枠上面から外縁枠の内側面を介して下がった状態に形成される。このため、天板部の集水領域上に流入した雨水が再び天板部上から流出することを抑制し、効率よく雨水を流水口に流入させることができる。また、蓋装置上を車両が通行したり、あるいは歩行者が歩行したりした際に、違和感なく通過することができる。
【手続補正８】
【補正対象書類名】明細書
【補正対象項目名】００１４
【補正方法】変更
【補正の内容】
【００１４】
請求項４の発明によれば、天板部に対して畦状部の裏側に、畦状部に沿って補強リブが設けられているため、畦状部と補強リブの位置が天板部の表裏面で一致する。このため、天板部に対する流水口を穿設する面積を大きく確保することができる。
【手続補正９】
【補正対象書類名】明細書
【補正対象項目名】００１５
【補正方法】変更
【補正の内容】
【００１５】
請求項６の発明によれば、請求項５の発明において、第１の凸部は流水口に沿って複数の列を形成し、隣接する列における第１の凸部は天板部の長手方向においてずれて配置されている。このため、雨水が手前の流水口を越えたとしても第１の凸部に衝突させ、次列の流水口に流入させることができる。また、第１の凸部は流水口に沿って配設されているため、流水口に雨水を流入させるためのガイドとして作用させることができる。
【手続補正１０】
【補正対象書類名】明細書
【補正対象項目名】００１６
【補正方法】変更
【補正の内容】
【００１６】
請求項７の発明によれば、請求項５の発明において、径方向に隣接する同心円間における第１の凸部は天板部の中心から放射方向においてずれて配置されているため、雨水が手前の流水口を越えたとしても第１の凸部に衝突させ、次列の流水口に流入させることができる。また、第１の凸部は流水口とも同心円に沿って配設されるため、流水口に雨水を流入させるためのガイドとして作用させることができる。
【手続補正１１】
【補正対象書類名】明細書
【補正対象項目名】００１７
【補正方法】変更
【補正の内容】
【００１７】
請求項８の発明によれば、分離可能な天板部のメンテナンス用蓋体を取り外して地中に埋設された側溝のメンテナンスを行うことが容易となる。
【手続補正１２】
【補正対象書類名】明細書
【補正対象項目名】００１９
【補正方法】変更
【補正の内容】
【００１９】
図１に示す本発明に係る蓋装置１の例では、蓋材２と、第１及び第２の畦状部３，４（雨水堰）と、流水口１０と、第１及び第２の凸部１１，１２とを有している。蓋材２は、天板部２ａと、側板部２ｂと、フランジ部２ｃと、外縁枠２ｄ（雨水堰）とを有している。蓋装置１の材質は例えばダクタイル鋳鉄である。蓋装置１は、後述するように、地中に埋設された側溝本体の上側開口部を覆うものである。天板部２ａは、蓋装置１を側溝本体に取り付けたときに、路面に露出する部分である。この例では、天板部２ａは平面視で略長方形形状をなしている。側板部２ｂは、天板部２ａの両側縁から連続して下側に延びている。フランジ部２ｃは、側板部２ｂの下端から外方に延び、天板部２ａと段差を有して突出している。雨水堰を構成する外縁枠２ｄは、天板部２ａの外周縁に立設し、その内側面８が下方に傾斜して天板部２ａに連なっている。
【手続補正１３】
【補正対象書類名】明細書
【補正対象項目名】００２０
【補正方法】変更
【補正の内容】
【００２０】
雨水堰を構成する第１の畦状部３は、天板部２ａに複数設けられている。第１の畦状部３は、直線状であり、外側端部３ａと内側端部３ｂとを有している。外側端部３ａは天板部２ａの外縁側に位置し、内側端部３ｂはこの外側端部３ａよりも天板部２ａの内側に位置している。雨水堰を構成する第２の畦状部４は、隣接する第１の畦状部３が有する内側端部３ｂ間に架け渡されている。この例では、第２の畦状部４が天板部２ａの長手軸線に沿って配設されている。第１の畦状部３は、その内側端部３ｂを第２の畦状部４に接し、外縁枠２ｄに向かって垂直に延びている。外側端部３ａは外縁枠２ｄの内側面８に接している。図の例では、これらの第１及び第２の畦状部３，４、さらに外縁枠２ｄの雨水堰で集水領域９を形成している。
【手続補正１４】
【補正対象書類名】明細書
【補正対象項目名】００２１
【補正方法】変更
【補正の内容】
【００２１】
天板部２ａの各集水領域９には、天板部２ａを貫通する流水口１０が穿設されている。この流水口１０は、第１及び第２の畦状部３，４を除いた天板部２ａの全域にわたって複数穿設されている。図の例では、流水口１０は長尺であり、天板部２ａの長手方向と平行に列をなして各集水領域９に一様に配設されている。これらの流水口１０は、天板部２ａの長手方向に関してずれて配置されている。これにより、流水口１０への雨水の流入効率を向上させることができる。
【手続補正１５】
【補正対象書類名】明細書
【補正対象項目名】００３０
【補正方法】変更
【補正の内容】
【００３０】
以下では、上述した蓋装置１の例とは別の例について、上述した蓋装置１とは異なる点を説明する。図５及び図６を参照すれば明らかなように、本発明に係る蓋装置１の別の例では、天板部２ａは平面視で略正方形形状であり、雨水堰を構成する第２の畦状部４は天板部２ａの中心を中心点として一部が欠けている略円形形状である。尚、第２の畦状部４は一部を欠かず、全周連なった略円形形状とすることもできる。第１の畦状部３（雨水堰）は、第２の畦状部４から天板部２ａの外縁部に向かって放射状に延びている。具体的には、第１の畦状部３は、その内側端部３ｂを第２の畦状部４に接し、雨水堰を構成する外縁枠２ｄに向かって放射状に延びている。外側端部３ａは外縁枠２ｄの近傍まで延びている。天板部２ａはメンテナンス用蓋体２３と基板部２４とに分離可能である。第１の畦状部３の外側端部３ａよりも外側に位置し、第２の畦状部４と同心円をなして天板部２ａに円２５が形成され、メンテナンス用蓋体２３はこの円２５よりも内側部分である。基板部２４は、円２５の外側部分である。このように分離可能な蓋体２３を設けることで、蓋体２３を取り外して地中に埋設された側溝のメンテナンスを行うことが容易となる。
【手続補正１６】
【補正対象書類名】明細書
【補正対象項目名】００３２
【補正方法】変更
【補正の内容】
【００３２】
１  蓋装置
２  蓋材
２ａ  天板部
２ｂ  側板部
２ｃ  フランジ部
２ｄ  外縁枠（雨水堰）
３  第１の畦状部（雨水堰）
３ａ  外側端部
３ｂ  内側端部
４  第２の畦状部（雨水堰）
５  側溝
６  モルタル
７  高さ調整部材
８  内側面
９  集水領域
１０  流水口
１１  第１の凸部
１２  第２の凸部
１３  補強リブ
１４  貫通孔
１５  段差部
１６  アンカーボルト
１７  内板
１８  側溝本体
１８ａ  側壁
１９  土砂
２０  舗装材
２１  ナット
２２  挿通孔
２３  蓋体（メンテナンス用蓋体）
２４  基板部
２５  円
２６  マーク
【手続補正１７】
【補正対象書類名】特許請求の範囲
【補正対象項目名】全文
【補正方法】変更
【補正の内容】
【特許請求の範囲】
【請求項１】
地中に埋設される側溝本体の上側開口部を覆うための蓋装置であって、
路面に露出する天板部と、
当該天板部に立設されて天板部に集水領域を区画し、当該集水領域に流れ込んだ雨水をせき止める雨水堰と、
前記天板部を貫通する貫通孔をなし、集水領域の全域にわたって複数穿設された長尺の流水口と、
前記天板部の集水領域に立設された複数の第１の凸部と
を備えたことを特徴とする蓋装置。
【請求項２】
前記雨水堰は、前記天板部の外周縁に設けられ、内側面が下方に傾斜して前記天板部に連なる外縁枠と、
前記天板部に立設され、前記外縁枠と協働して天板部に複数の集水領域を区画する畦状部とからなり、
前記外縁枠の内側面および前記畦状部の上面には、複数の第２の凸部とを備えたことを特徴とする請求項１に記載の蓋装置。
【請求項３】
前記第１および第２の凸部上面の高さが前記外縁枠上面と同一高さに形成されていることを特徴とする請求項２に記載の蓋装置。
【請求項４】
前記天板部に対して畦状部の裏側には、畦状部に沿って補強リブが設けられていることを特徴とする請求項２または３に記載の蓋装置。
【請求項５】
前記畦状部は、前記天板部に設けられ、前記天板部の外側縁に外側端部を有する複数の第１の畦状部と、
前記天板部の中央域に設けられ、隣接する前記第１の畦状部を接続する第２の畦状部と
を備えたことを特徴とする請求項２〜４のいずれかに記載の蓋装置。
【請求項６】
前記天板部は平面視で略長方形形状であり、
前記第２の畦状部は前記天板部の長手軸線に沿って配設され、
前記第１の畦状部は前記第２の畦状部から前記外縁枠に向かって垂直に延び、
前記第１及び第２の畦状部、さらに前記外縁枠で囲まれた集水領域が形成され、
前記流水口は前記天板部の長手方向と平行をなし、前記集水領域に一様に配設され、
前記第１の凸部は前記流水口に沿って複数の列を形成し、
隣接する前記列における前記第１の凸部は前記天板部の長手方向においてずれて配置されていることを特徴とする請求項５に記載の蓋装置。
【請求項７】
前記天板部は平面視で略正方形形状であり、
前記第２の畦状部は前記天板部の中心を中心点として略円形形状または一部が欠けている略円形形状であり、
前記第１の畦状部は前記第２の畦状部から前記外縁枠に向かって放射状に延び、
少なくとも前記第１の畦状部間に配設された前記流水口及び前記第１の凸部は前記第２の畦状部と同心円に沿って断続的に配設され、
径方向に隣接する前記同心円間における前記第１の凸部は前記天板部の中心から放射方向においてずれて配置されていることを特徴とする請求項５に記載の蓋装置。
【請求項８】
前記天板部は、天板部に配されたメンテナンス用蓋体と、当該蓋体を分離可能に支持する基板部とを備えることを特徴とする請求項１〜７のいずれかに記載の蓋装置。